(57)【要約】【課題】  床パネルの嵌入溝に嵌入した温水パイプが均熱シートによって浮き上がらない床暖房パネルの構造を提供する。【解決手段】  床パネル１の上面に温水パイプ２の嵌入溝１１を形成し、前記床パネル１の上面に前記嵌入溝１１の幅方向略中央部に対応する位置にスリット３１を該嵌入溝１１に沿って設けた均熱シート３を貼り付け、前記均熱シート３をそのスリット３１の端部を折曲して嵌入溝１１内壁に沿わせた状態で該嵌入溝１１に温水パイプ２を嵌入した。【選択図】        図１
2005049012.tif 000002
【特許請求の範囲】
【請求項１】
床パネルの上面に温水パイプの嵌入溝を形成し、前記床パネルの上面に前記嵌入溝の幅方向略中央部に対応する位置にスリットを該嵌入溝に沿って設けた均熱シートを貼り付け、前記均熱シートをそのスリットの端部を折曲して嵌入溝内壁に沿わせた状態で該嵌入溝に温水パイプを嵌入して成ることを特徴とする床暖房パネルの構造。
【請求項２】
嵌入溝の内壁に発泡体を設けて成ることを特徴とする請求項１記載の床暖房パネルの構造。
【発明の詳細な説明】
【技術分野】
【０００１】
本発明は、温水にて床暖房を行う床暖房パネルの構造に関するものである。
【背景技術】
【０００２】
従来より、温水にて床暖房を行う床暖房パネルの構造は、二重床を構成する床パネルの上面に温水パイプが嵌入される嵌入溝を形成し、床パネルの上面に均熱シートを載置した状態で均熱シートの上面の嵌入溝に対応する位置に温水パイプを配置し、嵌入溝の上に張った状態の均熱シートを下方に撓ませて嵌入溝内に入れつつ温水パイプを嵌入溝内に挿入するものである（例えば特許文献１参照）。
【０００３】
しかしながら、このものにあっては、嵌入溝の上に張った状態の均熱シートを下方に撓ませて温水パイプを嵌入溝内に嵌め込むため、図３に示すように均熱シートによって温水パイプが下方より上に浮き上がってしまう惧れがあった。
【特許文献１】特開平１１−３３７０９３号公報
【発明の開示】
【発明が解決しようとする課題】
【０００４】
本発明は上記の従来の問題点に鑑みて発明したものであって、その目的とするところは、床パネルの嵌入溝に嵌入した温水パイプが均熱シートによって浮き上がらない床暖房パネルの構造を提供することを課題とするものである。
【課題を解決するための手段】
【０００５】
上記課題を解決するために請求項１に係る発明にあっては、床パネル１の上面に温水パイプ２の嵌入溝１１を形成し、前記床パネル１の上面に前記嵌入溝１１の幅方向略中央部に対応する位置にスリット３１を該嵌入溝１１に沿って設けた均熱シート３を貼り付け、前記均熱シート３をそのスリット３１側の端部を折曲して嵌入溝１１内壁に沿わせた状態で該嵌入溝１１に温水パイプ２を嵌入して成ることを特徴とするものである。このような構成とすることで、均熱シート３に嵌入溝１１に対応するスリット３１を設けて分断したことで、均熱シート３が嵌入溝１１の幅方向に張った状態で温水パイプ２が浮き上がる惧れがなくなる。
【０００６】
また、請求項２の発明は、請求項１の発明において、嵌入溝１１の内壁に発泡体４を設けて成ることを特徴とするものである。このような構成とすることで、温水パイプ２が嵌入溝１１に嵌入されてより一層嵌入溝１１から浮き上がるのを防止することができる。
【発明の効果】
【０００７】
本発明にあっては、均熱シートを切断してスリットを設け、該スリットの端部をそれぞれ折り曲げて嵌入溝の両内壁に沿わせて温水パイプを嵌入溝に配置したことで、嵌入溝の幅方向に張った状態の均熱シートによって温水パイプが浮き上がる惧れがない。
【発明を実施するための最良の形態】
【０００８】
以下、本発明を添付図面に示す実施形態に基いて説明する。本実施形態では、床としては床スラブの上方に床パネルを配置して形成した二重床であり、この二重床の床面となる床パネルの上面に嵌入溝を設けるものである。
【０００９】
床パネル１は、図２に示すように、床スラブ５１の上に配置した支持脚５２に載置される。支持脚５２は、所定間隔をおいて複数床スラブ５１上に配置し、この支持脚５２に略矩形状をした床パネル１の辺又は隅部を防振ゴム５３及びパネル受材５４（本実施形態では厚み２５ｍｍの合板）を介して載置して敷設する。床パネル１はパーチクルボード（本実施形態では厚み２５ｍｍ）で形成され、複数の床パネル１のうちの一部又は全部には、床面となる上面に温水パイプ２が嵌入される嵌入溝１１が形成される。嵌入溝１１は、敷設された複数の床パネル１にわたって平面視において一条又は複数条の蛇行した溝として形成され、床面の全面又は一部の領域をほぼ網羅するように設けられる。そして、この嵌入溝１１に温水パイプ２を嵌入するのであるが、温水パイプ２からの熱を床面に伝達する均熱シート３を設けるものである。
【００１０】
均熱シート３は、床面上に貼り付けるもので、通常は床パネル１一つ又は複数の床パネル１に対応して一枚の均熱シート３を貼り付ける。そして均熱シート３には、貼り付けられる床パネル１の嵌入溝１１に対応する位置にスリット３１を設けてある。スリット３１は、嵌入溝１１の幅方向の略中央部に対応する部分で幅方向に分断するもので、嵌入溝１１の全長に亘って形成してある。そして、床面上にその嵌入溝１１にスリット３１が対応するように貼り付けた均熱シート３のスリット３１の切断端部をそれぞれ下方に折曲して嵌入溝１１の内壁に沿わせることで嵌入溝１１が上方に開口する状態とし、嵌入溝１１に温水パイプ２を嵌入するものである。
【００１１】
温水パイプ２は、嵌入溝１１の幅より若干短い径をなすもので、可撓性を有するフレキ管等からなるものである。上述したように嵌入溝１１には内壁に均熱シート３のスリット３１の端部が沿うように配置してあるので、温水パイプ２の径は嵌入溝１１内の均熱シート３の対向する面間の距離よりも若干大きくなるため、温水パイプ２が撓んだ状態で嵌入溝１１の内壁に均熱シート３を介して弾接される。なお、図１等に示すように、嵌入溝１１の内壁に断熱性及び弾性を有する発泡体４を設けるのが好ましい。発泡体４は発泡ポリスチレン等で形成し、床パネル１に形成する嵌入溝１１を予め発泡体４の厚み分だけ幅広に形成し、この広い嵌入溝１１に発泡体４を嵌め込んで形成してもよい。
【００１２】
以上のような構成によれば、均熱シート３に嵌入溝１１に対応するスリット３１を設けて分断したことで、均熱シート３１が嵌入溝１１の幅方向に張った状態で温水パイプ２が浮き上がる惧れがなくなる。また、嵌入溝１１の内壁に弾性を有する発泡体４を設けたことで、温水パイプ２が嵌入溝１１に嵌入されてより一層嵌入溝１１から浮き上がるのを防止することができる。
【図面の簡単な説明】
【００１３】
【図１】本発明の床暖房パネルの構造の一実施形態を示し、（ａ）は床パネルの嵌入溝に温水パイプを嵌入する前の状態を示す要部断面図であり、（ｂ）は床パネルの嵌入溝に温水パイプを嵌入した状態を示す要部断面図である。
【図２】同上の床暖房パネルの全体を説明する断面図である。
【図３】（ａ）（ｂ）は従来の床暖房パネルの構造を説明する要部断面図である。
【符号の説明】
【００１４】
１    床パネル
１１  嵌入溝
２    温水パイプ
３    均熱シート
３１  スリット
【図１】
2005049012.tif 000003
【図２】
2005049012.tif 000004
【図３】
2005049012.tif 000005